(57)【要約】      （修正有）【課題】高価なＩＣチップや電子部品を使用することなく、駐輪場所や駐車場所を忘れても直ちにかつ正確に分かるようにした備忘具を提供する。【解決手段】対象物に取付けられる袋と、該袋に取出し自在に収納され、対象物の置き場所を特定する基準となる場所を示す文字、図形又は記号が表示された複数枚の第１プレート２０と、上記袋に取出し自在に収納され、上記基準となる場所からの方向を示す文字、図形又は記号が表示された複数枚の第２プレート３０と、上記袋に取出し自在に収納され、上記基準となる場所に対する階床を示す文字、図形又は記号が表示された複数枚の第３プレート４０と、上記袋に取出し自在に収納され、上記階床の出入り口からの方向を示す文字、図形又は記号が表示された複数枚の第４プレート５０と、を備え、対象物の置き場所に対応して上記袋から取出した第１ないし第４のプレートから上記置き場所を特定する。【選択図】図３
0003154500.tif 000002
【実用新案登録請求の範囲】
【請求項１】
対象物の置き場所を特定するための備忘具であって、
対象物に取付けられる袋(10)と、
該袋(10)に取出し自在に収納され、対象物(60)の置き場所を特定する基準となる場所を示す文字、図形又は記号が表示された複数枚の第１プレート(20)と、
上記袋(10)に取出し自在に収納され、上記基準となる場所からの方向を示す文字、図形又は記号が表示された複数枚の第２プレート(30)と、
上記袋(10)に取出し自在に収納され、上記基準となる場所に対する階床を示す文字、図形又は記号が表示された複数枚の第３プレート(40)と、
上記袋(10)に取出し自在に収納され、上記階床の出入り口からの方向を示す文字、図形又は記号が表示された複数枚の第４プレート(50)と、
を備え、
対象物の置き場所に対応して上記袋(10)から取出した第１ないし第４のプレート(20,30,40,50) から上記置き場所を特定し得るようになっていることを特徴とする備忘具。
【請求項２】
上記袋(10)がニット製品の巾着袋であり、上記対象物から吊り下げられるようになっている請求項１記載の備忘具。
【請求項３】
上記第１ないし第４のプレート(20,30,40,50）が木板で製造されている請求項１記載の備忘具。
【請求項４】
上記複数枚の第１ないし第４の各プレート(20,30,40,50)には挿通孔が穿設され、上記取出された第１ないし第４のプレート(20,30,40,50)の挿通孔にリングに挿通されて保管されるようになっている請求項１記載の備忘具。
【請求項５】
上記対象物が自転車(60)又はオートバイであり、上記対象物の置き場所が駐輪場又は駐車場であり、上記基準となる場所が鉄道の駅やデパートである請求項１記載の備忘具。
【請求項６】
上記第１ないし第４のプレート(20,30,40,50)が着色によって識別されるようになっている請求項１記載の備忘区。
【考案の詳細な説明】
【技術分野】
【０００１】
この考案は備忘具に関し、特に自転車の駐輪場所やオートバイの駐車場所を忘れても直ちにかつ正確に分かるようにした備忘具に関する。
【背景技術】
【０００２】
例えば、自転車やオートバイを駐輪駐車する場合、旅行などのために４日や５日というように長時間、駐輪駐車をし続けなければならないことがある。かかる場合には駐輪駐車した場所を忘れてしまい、探すのに手間取ることがある。また、飲酒のために自転車やオートバイを駐輪駐車する場合も同様である。
【０００３】
従来、自転車やオートバイに受信機を搭載し、自転車などを忘れたユーザが送信機を操作すると、受信機が動作してランプを点灯・点滅させ、ブザーを鳴動させ、自転車を直ぐに発見できるようにした装置が提案されている（特許文献１、特許文献２）。
【先行技術文献】
【特許文献】
【０００４】
【特許文献１】特開平０６−６８３６２号公報
【特許文献２】特開２００４−１５０８３７号公報
【考案の開示】
【考案が解決しようとする課題】
【０００５】
しかし、特許文献１、２記載の装置では高価なＩＣチップや電子部品が多数使用されているので、装備するのにコスト高になるばかりでなく、持ち去られるおそれがあった。
【０００６】
本考案はかかる問題点に鑑み、高価なＩＣチップや電子部品を使用することなく、駐輪場所や駐車場所を忘れても直ちにかつ正確に分かるようにした備忘具を提供することを課題とする。
【課題を解決するための手段】
【０００７】
そこで、本考案に係る備忘具は、対象物の置き場所を特定するための備忘具であって、対象物に取付けられる袋と、該袋に取出し自在に収納され、対象物の置き場所を特定する基準となる場所を示す文字、図形又は記号が表示された複数枚の第１プレートと、上記袋に取出し自在に収納され、上記基準となる場所からの方向を示す文字、図形又は記号が表示された複数枚の第２プレートと、上記袋に取出し自在に収納され、上記基準となる場所に対する階床を示す文字、図形又は記号が表示された複数枚の第３プレートと、上記袋に取出し自在に収納され、上記階床の出入り口からの方向を示す文字、図形又は記号が表示された複数枚の第４プレートと、を備え、対象物の置き場所に対応して上記袋から取出した第１ないし第４のプレートから上記置き場所を特定し得るようになっていることを特徴とする。
【０００８】
本考案の特徴の１つは対象物に袋を取付け、袋から置き場所を特定する第１ないし第４のプレートを取出して手元に保管しておき、この第１ないし第４のプレートの文字、記号又は図形から置き場所を特定するようにした点にある。
【０００９】
これにより、ＩＣチップや電子部品を使用することなく対象物の置き場所を特定することができ、ＩＣチップや電子部品を必要としないので、コスト高を招来することはなく、又ＩＣチップや電子部品のように巾着袋が持ち去られるおそれは少ない。
【００１０】
袋は自転車やオートバイを傷つけるおそれが少ないように、ニット製の巾着袋であって、対象物から吊り下げられるようになっているのが好ましい。
【００１１】
第１ないし第４のプレートは金属製やプラスチック製でよいが、自転車やオートバイに損傷を与えないように木板で製作されるのが好ましい。
【００１２】
また、袋から取出したプレートは例えば財布やバッグに入れて保管してもよいが、バラバラになるおそれがある。そこで、第１ないし第４の各プレートには挿通孔を穿設し、取出した第１ないし第４のプレートの挿通孔にリングを挿通して保管するのがよい。
【００１３】
第１ないし第４のプレートは例えば文字、記号又は図形によって種類を識別するようにしてもよいが、簡単に識別できるのがよい。そこで、着色によって簡単に識別することができる。
【００１４】
本考案の備忘具は自動車や手荷物などの置き場所の特定に利用することができるが、自転車やオートバイの置き場所の特定に用いると特に効果が大きい。
【００１５】
特に、対象物が自転車やオートバイであり、対象物の置き場所が駐輪場又は駐車場である場合、基準となる場所は鉄道の駅やデパートなどを採用することができる。
【図面の簡単な説明】
【００１６】
【図１】本考案に係る備忘具の好ましい実施形態を吊り下げた自転車を示す概略斜視図である。
【図２】上記実施形態における巾着袋の口を開いた状態及び閉じた状態を示す図である。
【図３】上記実施形態における第１ないし第４のプレートを示す図である。
【図４】上記実施形態によって駐輪場を特定する場合の地図の例を示す図である。
【考案を実施するための形態】
【００１７】
以下、本考案を図面に示す具体例に基づいて詳細に説明する。図１ないし図３は本考案に係る備忘具の好ましい実施形態を示す図である。図において、備忘具は巾着袋１０と小さい長方形の第１ないし第４のプレート２０〜５０から構成されている。
【００１８】
巾着袋１０は例えば毛糸を用いて編成してなるニット製品であり、口部１１は紐１２で絞れるようになっている。
【００１９】
第１プレート２０は木板を用いて製作され、第１プレート２０の表面には駐輪場を特定するための基準となる場所を示す例えば文字（図形や記号であってもよい）が描かれている。第２のプレート３０は木板を用いて製作され、基準となる場所からの方向を示す例えば文字（図形や記号であってもよい）が描かれている。
【００２０】
第３プレート４０は木板を用いて製作され、駐輪した場所の階床を示す例えば文字（図形や記号であってもよい）が描かれている。第４プレート５０は木板を用いて製作され、駐輪した階床の出入り口からの方向を示す例えば文字（図形や記号であってもよい）が描かれている。
【００２１】
また、第１〜第４のプレート２０〜５０は例えば互いの種類を区別できるように異なる色に着色されているが、異なる形状によって互いの種類を区別することもでき、又異なる大きさとすることによって互いの種類を区別するようにしてもよい。
【００２２】
さらに、第１〜第４のプレート２０〜５０の外表面は防水性の透明樹脂製フィルムや透明樹脂製シートによって被覆され、着色に使用した塗料やインクが雨水や汗に濡れて衣類や財布内の紙幣を汚すおそれを防止するようになっている。
【００２３】
なお、樹脂製フィルムや樹脂製シートに文字、図形や記号を描き、着色をし、この樹脂製フィルムや樹脂製シートを無地の木板に貼着して第１〜第４のプレート２０〜５０を製作してもよい。また、第１〜第４のプレート２０〜５０に文字、図形や記号を描いた後、着色した透明樹脂製フィルムや透明樹脂製フィルムで第１〜第４のプレート２０〜５０の外表面を被覆するようにしてもよい。
【００２４】
また、第１〜第４のプレート２０〜５０の隅部には貫通孔２１〜５１が穿設され、リングを挿通して保管できるようになっている。
【００２５】
例えば、図４に示されるように、○○駅の駅前に３つの駐輪場６０〜６２がある。今、ユーザが駐輪場６０の２階に自転車７０を駐輪する場合、巾着袋１０から、○○駅の文字が表示された第１プレート２０Ａを取出すとともに、駐輪場６０は駅の東南であるので、巾着袋１０から東と南の文字が表示されている第２プレート３０Ａ、３０Ｂを取出す。
【００２６】
次に、駐輪した場所が駐輪場６０の２階であるので、巾着袋１０から２階の文字が表示された第３プレート４０Ａを取出す。最後に、駐輪した場所が２階の出入り口からどの方向であるか、例えば出入り口から前方左側である場合には巾着袋１０から左及び前の文字が表示された第４プレート４０Ａ、４０Ｂを取出し、残った巾着袋１０は紐１２を絞って口部１１を閉じて紐１２を自転車７０のハンドルに巾着袋１０の紐１２を結んで吊り下げておく。
【００２７】
他方、取出した第１〜第４のプレート２０Ａ、３０Ａ、３０Ｂ、４０Ａ、５０Ａ、５０Ｂは財布やバッグに入れて保管するか、又は各プレート２０〜５０の挿通孔２１〜５１にリンクを層通して保管しておく。
【００２８】
自転車７０の駐輪した場所を覚えている場合には駐輪場６０の自転車７０まで行き、巾着袋１０に第１〜第４プレート２０Ａ、３０Ａ、３０Ｂ、４０Ａ、５０Ａ、５０Ｂを戻し、自転車７０に乗って走行すればよい。
【００２９】
自転車７０を駐輪した場合を忘れた場合、第１プレート２０Ａから○○駅の近くの駐輪場６０〜６２であることが分かる。次に、第２プレート３０Ａ、３０Ｂから○○駅の東西の駐輪場６０であることが分かる。そして、第３プレート４０Ａから駐輪場６０の２階であることが分かり、第４プレート５０Ａ、５０Ｂから、２階出入り口に対して左前方に駐輪していることが分かるので、ユーザが各プレート２０〜５０にしたがって歩行して行くと、ハンドルに巾着袋１０が吊り下げられた自転車７０があるので、直ぐに自分の自転車７０にたどりつくことができる。
【００３０】
以上のように、自転車７０のハンドルに巾着袋１０を吊り下げ、巾着袋１０から置き場所を特定する第１ないし第４のプレート２０〜５０を取出して手元に保管しておき、この第１ないし第４のプレート２０〜５０の文字から置き場所を特定するようにしたので、従来のようにＩＣチップや電子部品を使用することなく自転車７０の置き場所を特定することができる。
【００３１】
また、ＩＣチップや電子部品を必要としないので、コスト高を招来することはなく、又ＩＣチップや電子部品のように巾着袋が持ち去られるおそれは少ない。
【００３２】
また、巾着袋１０をニット製品としているので、近くの自転車を傷つけるおそれが少なく、安心して使用できる。
【図１】
0003154500.tif 000003
【図２】
0003154500.tif 000004
【図３】
0003154500.tif 000005
【図４】
0003154500.tif 000006
【手続補正書】
【提出日】平成21年8月7日(2009.8.7)
【手続補正１】
【補正対象書類名】実用新案登録請求の範囲
【補正対象項目名】全文
【補正方法】変更
【補正の内容】
【実用新案登録請求の範囲】
【請求項１】
対象物の置き場所を特定するための備忘具であって、
対象物に取付けられる袋(10)と、
該袋(10)に取出し自在に収納され、対象物(60)の置き場所を特定する基準となる場所を示す文字、図形又は記号が表示された複数枚の第１プレート(20)と、
上記袋(10)に取出し自在に収納され、上記基準となる場所からの方向を示す文字、図形又は記号が表示された複数枚の第２プレート(30)と、
上記袋(10)に取出し自在に収納され、上記基準となる場所に対する階床を示す文字、図形又は記号が表示された複数枚の第３プレート(40)と、
上記袋(10)に取出し自在に収納され、上記階床の出入り口からの方向を示す文字、図形又は記号が表示された複数枚の第４プレート(50)と、
を備え、
対象物の置き場所に対応して上記袋(10)から取出した第１ないし第４のプレート(20,30,40,50) から上記置き場所を特定し得るようになっていることを特徴とする備忘具。
【請求項２】
上記袋(10)がニット製品の巾着袋であり、上記対象物から吊り下げられるようになっている請求項１記載の備忘具。
【請求項３】
上記第１ないし第４のプレート(20,30,40,50）が木板で製造されている請求項１記載の備忘具。
【請求項４】
上記複数枚の第１ないし第４の各プレート(20,30,40,50)には挿通孔が穿設され、上記取出された第１ないし第４のプレート(20,30,40,50)の挿通孔にリングに挿通されて保管されるようになっている請求項１記載の備忘具。
【請求項５】
上記対象物が自転車(60)又はオートバイであり、上記対象物の置き場所が駐輪場又は駐車場であり、上記基準となる場所が鉄道の駅やデパートである請求項１記載の備忘具。
【請求項６】
上記第１ないし第４のプレート(20,30,40,50)が着色によって識別されるようになっている請求項１記載の備忘具。